(57)【特許請求の範囲】
【請求項１】
正面に４つのプラグ端子挿入孔１１０が備えられたコンセント本体１５０と、
２つのプラグ端子挿通孔１８５が備えられ、前記コンセント本体１５０の正面に設けられて前記４つのプラグ端子挿入孔１１０を遮断する遮断パネル１８０と、を含み、
前記コンセント本体１５０の上面には接地線２５０が備えられ、前記遮断パネル１８０の背面には前記接地線２５０と接触する接地結合部３５０が備えられる、コンセント構造体。
【請求項２】
前記遮断パネル１８０は前記コンセント本体１５０の正面に設けられた状態で、外力によって左側または右側に回動することで、前記２つのプラグ端子挿通孔１８５を通じて前記４つのプラグ端子挿入孔１１０のうち一対のプラグ端子挿入孔１１０が露出する請求項１に記載のコンセント構造体。
【請求項３】
前記外力が除去された場合に、前記遮断パネル１８０が逆方向に回動することで、前記遮断パネル１８０によって前記４つのプラグ端子挿入孔１１０を再び遮断させる復元部材を更に含む請求項２に記載のコンセント構造体。
【請求項４】
前記復元部材によって前記遮断パネル１８０が復元された場合に、前記２つのプラグ端子挿通孔１８５は水平方向に並んで位置する請求項３に記載のコンセント構造体。
【請求項５】
前記コンセント本体１５０の背面には電力線２００が設けられ、前記電力線２００は前記４つのプラグ端子挿入孔１１０を通じて露出する請求項１に記載のコンセント構造体。
【発明の詳細な説明】
【技術分野】
【０００１】
本発明はコンセント構造体に関するもので、より詳細にはユーザがコンセント本体のプラグ端子挿入孔の配設方向を目で直接確認する手間を掛けなくても、対角線方向に設けられたプラグ端子挿入孔にプラグを容易に差し込むことができるだけでなく、隣接して配設された他のコンセント本体の使用状態や周辺環境を考慮して、コンセント本体へのプラグの挿入方向を必要に応じて選択できるコンセント構造体に関するものである。
【背景技術】
【０００２】
図１は従来技術によるコンセント構造体の構成を示す図である。図１に示すように、従来技術によるコンセント構造体１０はプラグが挿入されるプラグ挿入孔１３にそれぞれ２つずつ備えられているプラグ端子挿入孔１１が対角線方向に傾斜した状態で同一に設けられている。
【０００３】
即ち、図１における従来技術によるコンセント構造体１０は、図２に示すように、それぞれのプラグ挿入孔１３に挿入されたプラグ２０のコード２５による干渉なしに４つのプラグ挿入孔１３を同時に使用できるようにするために提案されたものである。
【０００４】
それにもかかわらず、図２で右上部に挿入されたプラグ２０のコード２５により左下部のプラグ挿入孔１３にプラグ２０を挿入する過程でユーザは不便さを感じるようになり、左下部のプラグ挿入孔１３にプラグ２０を更に差し込む場合にも、右上部に挿入されたプラグコード２５は左下部に挿入されたプラグ２０の上に載せるようになることで、その後、左下部に挿入されたプラグ２０をユーザが除去するにあたって不便さをもたらす。
【０００５】
その上に、コンセント構造体１０は通常、壁の下部に埋め込まれていたり、家具などに隠された状態にある場合が多い。そのため、ユーザが図１に示すように傾斜状態で設けられているプラグ端子挿入孔１１にプラグ２０を差し込もうとする場合に、ユーザがプラグ端子挿入孔１１の傾斜方向及び傾斜角度を目で確認することができない場合が頻繁に発生する。
【０００６】
従って、ユーザはプラグ端子挿入孔１１の傾斜方向と傾斜角度を予測し、それに応じてプラグ２０を傾けた状態でプラグ２０の挿入を試みるが、このような試みは頻繁に失敗する。
【０００７】
それに応じて、ユーザはプラグ端子挿入孔１１を目で直接確認するために、コンセント構造体１０が設けられている位置まで頭を下げた状態で、プラグ２０を挿入する不便さを甘受しなければならない。
【０００８】
しかし、コンセント構造体１０が家具などに隠されていて、ユーザが家具の後側面に手を入れた状態で、プラグ端子挿入孔１１の傾斜方向と傾斜角度を予測してプラグ２０を挿入しなければならない。この場合は、コンセント構造体１０と家具との間の空間に、ユーザが頭を入れることはできないため、結局、ユーザはプラグ２０をコンセントに差し込まずに放棄する場合が頻繁に発生する。
【０００９】
なお、従来にはプラグ端子挿入孔１１に子供たちが指や箸を挿入することで、感電事故が発生する。これを防止するために、プラグ端子挿入孔１１とプラグ挿入孔１３を一体として感電事故を防ぐことができるように設けるコンセントカバーが提案されている。しかし、このようなコンセントカバーはコンセント本来の機能を失う問題があり、コンセントを再利用するためにはユーザがコンセントカバーをコンセントから外しなければならない不便さがある。
【発明の概要】
【発明が解決しようとする課題】
【００１０】
従って、本発明の目的は、ユーザがコンセント本体のプラグ端子挿入孔の配設方向を目で直接確認する手間を掛けなくても、対角線方向に設けられたプラグ端子挿入孔にプラグを容易に差し込むことができるだけでなく、隣接して配設された他のコンセント本体の使用状態や周辺環境を考慮して、コンセント本体へのプラグの挿入方向を必要に応じて選択できるコンセント構造体を提供することにある。
【課題を解決するための手段】
【００１１】
前述の目的を達成するための本発明に係るコンセント構造体は、正面に４つのプラグ端子挿入孔が備えられたコンセント本体；及び２つのプラグ端子挿通孔が備えられ、前記コンセント本体の正面に設けられて前記４つのプラグ端子挿入孔を遮断する遮断パネルを含む。
【００１２】
好ましくは、前記遮断パネルは前記コンセント本体の正面に設けられた状態で、外力によって左側または右側に回動することで、前記２つのプラグ端子挿入孔を通じて前記４つのプラグ端子挿入孔のうち一対のプラグ端子挿通孔が露出することを特徴とする。
【００１３】
また、前記外力が除去された場合に、前記遮断パネルが逆方向に回動することで、前記遮断パネルによって前記４つのプラグ端子挿入孔を再び遮断させる復元部材を更に含む。
【００１４】
また、前記復元部材によって前記遮断パネルが復元された場合に、前記２つのプラグ端子挿通孔は水平方向に並んで位置することを特徴とする。
【００１５】
また、前記復元部材によって前記遮断パネル１８０が復元された場合に、前記２つのプラグ端子挿通孔１８５は水平方向に並んで位置することを特徴とする。
【００１６】
更に、前記コンセント本体１５０の背面には電力線２００が設けられ、前記電力線２００は前記４つのプラグ端子挿入孔１１０を通じて露出することを特徴とする。
【００１７】
更に、前記コンセント本体１５０の上面には接地線２５０が備えられ、前記遮断パネル１８０の背面には前記接地線２５０と接触する接地結合部３５０が備えられることを特徴とする。
【発明の効果】
【００１８】
本発明によれば、ユーザはコンセント本体のプラグ端子挿入孔の配設方向を目で直接確認する手間を掛けなくても、対角線方向に設けられたプラグ端子挿入孔にプラグを容易に差し込むことができるだけでなく、隣接して配設された他のコンセント本体の使用状態や周辺環境を考慮して、コンセント本体へのプラグの挿入方向を必要に応じて選択することができる。
【００１９】
なお、本発明によれば、コンセントを使用するためにユーザがいちいち削除する必要がなく、通常プラグ端子挿入孔に異物が侵入することを防止できるコンセント構造体が提供される。
【図面の簡単な説明】
【００２０】
【図１】従来技術によるコンセント構造体の構成を示す図である。
【図２】従来技術によるコンセント構造体にプラグを挿入した状態を示す図である。
【図３】本発明の一実施形態に係るコンセント構造体の外部構造を示す図である。
【図４】本発明の一実施形態に係るコンセント構造体の斜視図である。
【図５】本発明の他の実施形態に係るコンセント構造体の構成を示す図である。
【図６】図５に示すコンセント構造体の使用状態を示す図である。
【図７】図５に示すコンセント構造体の使用状態を示す図である。
【図８】本発明の他の実施形態に係るコンセント構造体の配線構造を示す図である。
【図９】本発明の他の実施形態に係るコンセント構造体の遮断パネルの上部構造を示す図である。
【図１０】本発明の他の実施形態に係るコンセント構造体の遮断パネルの下部構造を示す図である。
【発明を実施するための最良の形態】
【００２１】
以下、添付図面を参照して本発明の実施形態をより詳細に説明する。図面において、明細書全体を通して同一または類似する構成要素については同一の参照符号を付し、その重複説明や本発明の要旨を不明にする公知の機能及び構成についての詳細な説明は適宜省略する。
【００２２】
図３は本発明の一実施形態に係るコンセント構造体の外部構造を示す図である。図３に示すように、本発明の一実施形態に係るコンセント構造体は正面に４つのプラグ端子挿入孔１１０が設けられている。
【００２３】
４つのプラグ端子挿入孔１１０は２対のプラグ端子挿入孔１１０で構成されており、ユーザは必要に応じて、４つのプラグ端子挿入孔１１０のうち対角線方向に設けられている一対のプラグ端子挿入孔１１０を選択して、プラグ端子を挿入することができる。
【００２４】
即ち、対角線方向に設けられている一対のプラグ端子挿入孔１１０の間の離間距離はプラグ端子の離間距離と同一であり、一対のプラグ端子挿入孔１１０を連結する線分の角度は４５°より小さく形成することが好ましい。
【００２５】
具体的には、一対のプラグ端子挿入孔１１０を連結する線分の角度は、約２０°〜３０°程度になるように するが好ましい。このような角度範囲でプラグ端子挿入孔を形成することによって、図２に示すように、４つのコンセントが正方形をなして一緒に配設されている場合に、右上部のコンセントに挿入されたプラグのコードが左下部のコンセント挿入孔を通過しないで、左下部のコンセントと左上部のコンセントとの間のスペースを通過するようになって、隣接したコンセントにプラグが挿入されることを妨げないことができる。
【００２６】
図４は本発明の一実施形態に係るコンセント構造体の斜視図である。図４を参照すると、本発明の一実施形態に係るコンセント構造体に備えられた４つのプラグ端子挿入孔１１０は、第１端子挿入孔１１０−１、第２端子挿入孔１１０−２、第３端子挿入孔１１０−３、及び第４端子挿入孔１１０−４で構成される。
【００２７】
第１端子挿入孔１１０−１と第３端子挿入孔１１０−３はプラグ端子が第１対角線方向に挿入される一対のプラグ端子挿入孔１１０を形成し、第２端子挿入孔１１０−２と第４端子挿入孔１１０−４はプラグ端子が第２対角線方向に挿入される一対のプラグ端子挿入孔１１０を形成する。
【００２８】
一方、第１端子挿入孔１１０−１と第４端子挿入孔１１０−４との間には電源の供給を受ける伝導部材１９０が設けられており、それに応じて、伝道部材１９０に供給される電源は第１端子挿入孔１１０−１または第４端子挿入孔１１０−４に選択的に挿入されたプラグ端子のうち一つの端子に供給される。
【００２９】
なお、第２端子挿入孔１１０−２と第３端子挿入孔１１０−３との間にも電源を供給される伝導部材１９０が設けられており、それに応じて、伝道部材１９０に供給される電源は第２端子挿入孔１１０−２または第３端子挿入孔１１０−３に選択的に挿入されたプラグ端子のうち他の端子に供給される。
【００３０】
一方、本発明に係るコンセント構造体は建物の施工時に、建物の壁に一体型に埋め込まれて施工することもできるが、既に壁に埋め込まれて設けられている図１に示したようなコンセントのプラグ端子挿入孔１１０に４つのコンセント本体１５０を更に挿設する方式で設けることもできる。
【００３１】
そのためには、図４に示すように、本発明に係るコンセント構造体の背面には、それぞれの伝導部材１９０の中心部に連結された一対の結合端子１７０を備えることが好ましい。一対の結合端子１７０は、図１に示したように既に設けられているコンセントのプラグ端子挿入孔１１に挿設した状態、伝導部材１９０を通じて第１端子挿入孔１１０−１乃至第４端子挿入孔１１０−４に電源を供給する。
【００３２】
図５は本発明の他の実施形態に係るコンセント構造体の構成を示す図である。図５を参照すると、本発明の他の実施形態に係るコンセント構造体は、本発明の一実施形態に係るコンセント本体１５０の正面に設けられることで、コンセント本体１５０にある４つのプラグ端子挿入孔１１０を遮断する機能を実行する遮断パネル１８０を更に備えている。
【００３３】
具体的には、プラスチックなどの非導電性材料で製作された円形の遮断パネル１８０には一対のプラグ端子挿通孔１８５が遮断パネル１８０の中央で水平をなしながら所定の間隔だけ離間した状態で形成されており、遮断パネル１８０は締結部材１４０を通じてコンセント本体１５０の正面に設けられている。
【００３４】
それに応じて、遮断パネル１８０はコンセント本体１５０にある４つのプラグ端子挿入孔１１０を遮断することができ、それに応じて、子供たちがプラグ端子挿入孔１１０に指や箸を入れたり、他のプラグ端子挿入孔１１０に異物が侵入することを防止できる。
【００３５】
一方、一対のプラグ端子挿通孔１８５の離間距離は対角線方向に配置された一対のプラグ端子挿入孔１１０の離間距離と同一でなければならない。
【００３６】
なお、本発明を実施するにあたって、締結部材１４０はスプリングなどの弾性材料で製作することで、図６及び図７に示すように、ユーザが必要に応じて、４つのプラグ端子挿入孔１１０のうち一対のプラグ端子挿入孔１１０を露出させた状態で、プラグ端子を挿入できるようにすることが好ましい。
【００３７】
即ち、ユーザにより外力が加わらない状態では、遮断パネル１８０は図５に示したように定位置状態にある。それによって、通常ユーザは遮断パネル１８０のプラグ端子挿通孔１８５が水平方向に位置していることを予想することができる。
【００３８】
それに応じて、ユーザは目に見なくても簡単にプラグ端子を図５におけるプラグ端子挿通孔１８５に挿入することができる。しかし、この状態でユーザはプラグ端子をコンセント本体１５０のプラグ端子挿入孔１１０に挿入させることはできない。
【００３９】
従って、ユーザはプラグ端子挿通孔１８５のみにプラグ端子を挿入した状態で、コンセント本体１５０の方向に少しの圧力を加える状態で、手首をねじりながら自分が望む方向に図６及び図７に示すように遮断パネル１８０を回転させる。
【００４０】
遮断パネル１８０が回転することによって、プラグ端子挿通孔１８５はコンセント本体１５０のプラグ端子挿入孔１１０と同一の位置に来ると、ユーザによってコンセント本体１５０の方向に少しの圧力が加えられたプラグは、プラグ端子挿通孔１８５とプラグ端子挿入孔１１０を貫通しながら挿入される。
【００４１】
前述したように、ユーザは図５に示すように正方向に設けられている遮断パネル１８０を用いることで、コンセント本体１５０のプラグ端子挿入孔１１０の配設方向を目で直接確認する手間を掛けなくても、対角線方向に設けられたプラグ端子挿入孔１１０にプラグを容易に差し込むことができるだけでなく、隣接して配設された他のコンセント本体１５０の使用状態や周辺環境を考慮して、プラグのコンセント本体１５０へ挿入方向を必要に応じて選択することができる。
【００４２】
一方、ユーザがコンセント本体１５０からプラグを引き抜くことで、遮断パネル１８０に加わる外力が除去された場合に、締付部材１４０の弾性復元力によって遮断パネル１８０は再び図５に示したような定位置に復元されることで、以後、ユーザの再利用を待機する共に、通常のプラグ端子挿入孔１１０の遮断機能を実行する。
【００４３】
図８は本発明の他の実施形態に係るコンセント構造体１００の配線構造を示す図である。図８を参照すると、本発明の他の実施形態に係るコンセント構造体１００のコンセント本体１５０は、一対の電力線２００上に設けられており、それに応じて一対の電力線２００はコンセント本体１５０の背面に位置する。
【００４４】
具体的には、第１端子挿入孔１１０−１と第４端子挿入孔１１０−４は陽極の電力線２００上に位置し、第２端子挿入孔１１０−２と第３端子挿入孔１１０−３は陰極の電力線２００上に位置する。
【００４５】
このように、第１端子挿入孔１１０−１、第２端子挿入孔１１０−２、第３端子挿入孔１１０−３、及び第４端子挿入孔１１０−４を通じて電力線２００はコンセント本体１５０の上部に露出するようになる。それに応じて、図７に示すように、第１端子挿入孔１１０−１と第３端子挿入孔１１０−３にプラグ端子が挿入される場合、または図６に示すように、第２端子挿入孔１１０−２と第４端子挿入孔１１０−  ４プラグ端子が挿入される場合の両方において、プラグ端子は電力線２００を通じて電力の供給を受けることができる。
【００４６】
なお、図８に示すようにコンセント本体１５０の上面には長方形の接地線２５０が設けられており、その接地線２５０は、図９及び図１０における遮断パネル１８０の背面に設けられている長方形の接地結合部３５０と電気的に接触する。
【００４７】
具体的には、図９及び図１０に示すように遮断パネル１８０の背面には長方形の接地結合部３５０が設けられており、図９における遮断パネル１８０が図８におけるコンセント本体１５０の上面に締結部材１４０によって結合されることによって、接地線２５０と接地結合部３５０とは電気的に接触する。
【００４８】
一方、このような結合状態で遮断パネル１８０が図６及び図７に示すように、左右に回転することになる場合にも、接地線２５０と接地結合部３５０は固定ピン方式の締結部材１４０を中心に交差状態を維持し、電気的な結合状態を維持する。
【００４９】
一方、図９に示すように遮断パネル１８０の背面に設けられた接地結合部３５０の両端には曲げ部３５５がそれぞれ形成されており、この曲げ部は遮断パネル１８０の上部と下部にそれぞれ備えられた接地孔１８７を通じて遮断パネル１８０の上面に突出する。
【００５０】
このように遮断パネル１８０の上面の上部と下部にそれぞれ突出した曲げ部３５５は遮断パネル１８０に備えられたプラグ端子挿通孔１８５に挿入されるプラグの上下面に備えられた接地端子（図示せず）と接触することによって電気的に連結される。
【００５１】
一方、本発明を実施するに当たって、遮断パネル１８０のプラグ端子挿通孔１８５を通じて挿入されたプラグの側面に備えられた接地端子と接地結合部３５０の両端に備えられた曲げ部３５５の安定した電気的結合とプラグの安定した挿設のために、遮断パネル１８０の外周面にはプラグの垂直方向に挿入を誘導する円筒状の垂直パネルを一体に備えることが好ましい。
【００５２】
以上では本発明の好ましい実施形態及び応用例について図示及び説明したが、本発明は前述した特定の実施形態及び応用例に限定されず、請求範囲で請求する本発明の要旨を逸脱することなく当該発明が属する技術分野で通常の知識を有する者により多様な変形実施が可能であることは勿論であり、このような変形実施は本発明の技術的思想や展望から個別的に理解されてはならない。
【００５３】
また、本発明で使用した用語は、単に特定の実施形態を説明するために用いたものに過ぎず、本発明を限定することを意図するものではない。本明細書で使用する場合に、数詞のない表現は、文脈がそうでないことを明示していない限り、複数の形態も同様に含むことを意図している。本出願で、「含む」または「有する」などの用語は、明細書上に記載された特徴、数字、ステップ、動作、構成要素、部品またはこれらを組み合わせたものが存在することを指定しようとするものであって、１つまたはそれ以上の他の特徴や数字、ステップ、動作、構成要素、部品またはこれらを組み合わせたものの存在または付加可能性をあらかじめ排除しないものと理解されなければならない。
【産業上の利用可能性】
【００５４】
本発明は電気設備に関連した産業分野での産業上の利用可能性が認められる。
【図１】
0006420487.tif 000002
【図２】
0006420487.tif 000003
【図３】
0006420487.tif 000004
【図４】
0006420487.tif 000005
【図５】
0006420487.tif 000006
【図６】
0006420487.tif 000007
【図７】
0006420487.tif 000008
【図８】
0006420487.tif 000009
【図９】
0006420487.tif 000010
【図１０】
0006420487.tif 000011